(57)【要約】【課題】  重要な情報の受信を能動的に通知し、視聴を促すための情報送受信システムを提供することを目的とする。【解決手段】  本発明の情報送受信システムが情報を受信すると、重要度判定部１２により判定された重要度に応じた通知手段１７〜１９で通知処理部１３からユーザーへの通知が行なわれる。ここで通知処理によっては視聴動作検知部１５がユーザーの情報視聴状況を検知するが、一定時間後にユーザーが情報を視聴していなければ再度通知処理部１３からユーザーへの通知処理が行なわれる。これによって重要な情報を受信時に、ユーザーがシステムを使用中かどうかに関らずユーザーの注意を引くことができ、重要な情報の視聴を能動的に促す情報送受信システムを提供することができる。【選択図】  図１
2005078410.tif 000002
【特許請求の範囲】
【請求項１】
送受信する情報に重要度を設け、前記情報の受信を前記重要度に応じた方法で能動的かつ定期的に反復通知する通知手段を有することを特徴とした情報送受信システム。
【請求項２】
表示装置を有し、情報の受信を通知する通知手段として前記表示装置への表示を利用した請求項１に記載の情報送受信システム。
【請求項３】
音発生装置を有し、情報の受信を通知する通知手段として前記音発生装置からの音を利用した請求項１または２に記載の情報送受信システム。
【請求項４】
振動発生装置を有し、情報の受信を通知する通知手段として前記振動発生装置からの振動を利用した請求項１〜３のいずれか１項に記載の情報送受信システム。
【発明の詳細な説明】
【技術分野】
【０００１】
本発明は情報送受信システムに関するものである。
【背景技術】
【０００２】
従来、情報送受信システムにおいて、例えば特許文献１によれば、電子メールシステムで情報に重要度を設けて受信時に重要度を表示することで、重要な情報の閲覧を優先的に行なえる電子メールの受信方式が提案されている。
【特許文献１】特開平１１−１０２３３１号公報
【発明の開示】
【発明が解決しようとする課題】
【０００３】
しかしながら、電子メール受信時に受信システムおいて重要度を表示するだけでは、受動的であり緊急や確実性を要する場合には不十分であるという課題を有していた。
【０００４】
本発明は、上記従来の課題を解決するもので、重要な情報の視聴を促すための情報送受信システムを提供することを目的とする。
【課題を解決するための手段】
【０００５】
前記従来の課題を解決するために、本発明の情報送受信システムは受信した情報の重要度に応じた方法で能動的に反復通知を行なうものである。
【０００６】
これによって重要な情報を受信時に、システムを使用中かどうかに関らずユーザーの注意を引くことができる。
【発明の効果】
【０００７】
本発明の情報送受信システムは重要な情報を能動的に反復通知してシステムを使用中かどうかに関らずユーザーの注意を引くことができる。
【発明を実施するための最良の形態】
【０００８】
第１の発明は、送受信する情報に重要度を設け、情報の受信を重要度に応じた方法で能動的に反復通知することにより、ユーザーの注意を引くことで、重要な情報の視聴を促すことができる。
【０００９】
第２の発明は、送受信する情報に重要度を設け、情報の受信を重要度に応じて視覚に訴える方法で能動的に反復通知することにより、ユーザーの注意を引くことで、重要な情報の視聴を促すことができる。
【００１０】
第３の発明は、送受信する情報に重要度を設け、情報の受信を重要度に応じて聴覚に訴える方法で能動的に反復通知することにより、ユーザーの注意を引くことで、重要な情報の視聴を促すことができる。
【００１１】
第４の発明は、送受信する情報に重要度を設け、情報の受信を重要度に応じて触覚に訴える方法で能動的に反復通知することにより、ユーザーの注意を引くことで、重要な情報の視聴を促すことができる。
【００１２】
以下、本発明の実施の形態について、図面を参照しながら説明する。なお、この実施の形態によって本発明が限定されるものではない。
【００１３】
（実施の形態１）
図１は、本発明の第１〜第３の実施の形態における情報送受信システムのブロック構成図である。
【００１４】
本発明における情報送受信システムは、情報の受信を検知する情報受信検知部１１と、受信した情報のヘッダ等に内在させた重要度情報から重要度を判定する重要度判定部１２と、情報の重要度に応じて単一の通知手段α１７、通知手段β１８、通知手段ζ１９等を個別、または複合的に利用して情報の受信をユーザーに通知する通知処理部１３と、ユーザーが情報を視聴したときに動作させる視聴確認インターフェース１６と、視聴確認インターフェース１６の動作を検知する視聴動作検知部１５と、ユーザーが情報を視聴したかどうかを判定する情報視聴判定部１４によって構成される。なお、通知手段α１７が例えば音発生装置であった場合、音量や音の種類、リズム等を変化させることで重要度に応じた段階的な通知が可能であり、他の各通知手段１８、１９においても同様である。また、視聴確認インターフェース１６は、専用のものを用意する必要は無く、ユーザーが情報を視聴した場合に視聴確認として情報送受信システムが促す、通常使用するインターフェースの動作で良い。
【００１５】
図２は、本発明の第１〜第３の実施の形態における情報送受信システムのフローチャートである。
【００１６】
本発明における情報送受信システムが情報を受信すると、情報受信検知部１１が情報の受信を検知し、重要度判定部１２に情報のヘッダ等に内在させた重要度情報を渡す。重要度判定部１２は、ステップＳ０１において情報の重要度を判定し、判定した重要度に応じてステップＳ１１、ステップＳ２１、ステップＳ３１に進む。
【００１７】
例えば重要度判定部１２において重要度がａと判定されると、通知処理部１３はステップＳ１１において通知手段Ａでユーザーに通知し、ステップＳ１２に進む。ここで通知手段Ａは単一の通知手段α１７や通知手段β１８を個別、または複合的に利用した通知手段である。ステップＳ１２では、視聴動作検知部１５が、情報視聴時の確認ボタンの押下等、視聴確認インターフェース１６の動作を検知し、情報視聴判定部１４にユーザーの情報視聴状況を渡す。一定時間経過後に情報をユーザーが視聴していなければステップＳ１１に戻り、通知処理部１３からユーザーへの通知処理が行なわれる。重要度ｂと判定した場合も同様である。
【００１８】
また、例えば重要度判定部１２において重要度がｚと判定されると、通知処理部１３によって通知手段Ｚでユーザーへ１度だけ通知される。このように、重要度によって定期的な通知を行なわない場合もある。
【００１９】
図３は本発明の第１の実施の形態における情報送受信システムの情報端末の外観図である。
【００２０】
図３において、情報端末３１は液晶ディスプレイ等の情報表示装置３２とＬＥＤ等の発光装置３４を有し、図１における通知手段αのような単一の通知手段として情報表示装置３２の表示内容３３や発光装置３４の発光を利用できる。
【００２１】
本実施の形態においては、情報端末３１が受信した情報の重要度に応じて、情報表示装置３２に表示する表示内容３３の絵、文字の大きさ、色、文言の内容等を変化させて通知する。また、発光装置３４の発光色、明滅、明滅の間隔等を変化させて通知する。さらに情報表示装置３２に表示する表示内容３３と、発光装置３４の発光とを組み合わせることでより効果的な通知を行なうことができる。
【００２２】
（実施の形態２）
図４は本発明の第２の実施の形態における情報送受信システムの情報端末の外観図である。
【００２３】
図４において、情報端末３１はスピーカ等の音発生装置４１を有し、図１における通知手段αのような単一の通知手段として音発生装置４１の出力音を利用できる。
【００２４】
本実施の形態においては、情報端末３１が受信した情報の重要度に応じて、音発生装置４１が出力する音の音量や音の種類、リズム等を変化させて通知する。
【００２５】
（実施の形態３）
図５は本発明の第３の実施の形態における情報送受信システムにおける情報端末の外観図である。
【００２６】
図５において、情報端末３１はモーター等の振動発生装置５１を有し、図１における通知手段αのような単一の通知手段として振動発生装置５１の振動を利用できる。ここで、振動発生装置５１は、無線で実施することによって通知可能範囲に自由度が高くなり望ましい。また、振動発生装置５１はリストバンドのような形態で表現しているが、ユーザーが普段身に付けられる形態である方が通知の確実性が高いという理由からであって、例えば椅子に振動発生装置５１を組み込むような、別の形態であっても構わない。
【００２７】
本実施の形態においては、情報端末３１が受信した情報の重要度に応じて、振動発生装置５１が発生する振動の大きさ、リズム等を変化させて通知する。
【００２８】
なお、本発明の第１〜第３の実施の形態から、情報表示装置３２の表示内容３３、発光装置３４の発光、音発生装置４１の出力音、振動発生装置５１の振動を組み合わせることで、より効果的な通知を行なうことができる（図６参照）。
【産業上の利用可能性】
【００２９】
以上のように、本発明にかかる情報送受信システムは、受信する情報の重要度によって、利用者に能動的な反復通知が可能であり、各感覚に訴える通知を行なうことによって、災害時における身体障害者に対する警報や避難勧告等の連絡通知手段といった用途への適用も可能である。
【図面の簡単な説明】
【００３０】
【図１】本発明の実施の形態１〜３における情報送受信システムのブロック構成図
【図２】本発明の実施の形態１〜３における情報送受信システムのフローチャート
【図３】本発明の実施の形態１における情報送受信システムの外観図
【図４】本発明の実施の形態２における情報送受信システムの外観図
【図５】本発明の実施の形態３における情報送受信システムの外観図
【図６】本発明のその他の実施の形態における情報送受信システムの外観図
【符号の説明】
【００３１】
１１  情報受信検知部
１２  重要度判定部
１３  通知処理部
１４  情報視聴判定部
１５  視聴動作検知部
１６  視聴確認インターフェース
１７、１８、１９  通知手段
３１  情報端末
３２  情報表示装置
３３  表示内容
３４  発光装置
４１  音発生装置
５１  振動発生装置
【図１】
2005078410.tif 000003
【図２】
2005078410.tif 000004
【図３】
2005078410.tif 000005
【図４】
2005078410.tif 000006
【図５】
2005078410.tif 000007
【図６】
2005078410.tif 000008